【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
複数の放送局から送信される複数のデジタル放送信号を受信するデジタル放送受信装置であって、
前記複数のデジタル放送信号の各々から、前記複数の放送局の各々が生成する時刻情報である放送局時刻情報を抽出する情報抽出部と、
前記デジタル放送受信装置の時間軸における時刻である計時部現在時刻を生成する計時部と、
前記複数の放送局の各々について、放送局特定情報と、前記放送局時刻情報と、前記放送局時刻情報が抽出された時点における前記計時部現在時刻である時刻情報取得時刻と、を含む時刻関連情報を取得する時刻関連情報取得部と、
前記時刻関連情報取得部で取得された前記複数の放送局の各々についての前記時刻関連情報に基づいて前記複数の放送局の各々の時間軸で前記複数の放送局の各々の放送局現在時刻を算出し、前記複数の放送局の放送局現在時刻を互いに比較し、前記比較の結果に基づいて前記計時部現在時刻の更新直後の時刻である基準現在時刻を算出する基準現在時刻算出部と、
を備え、
前記計時部は、前記計時部現在時刻を前記基準現在時刻に更新する
ことを特徴とするデジタル放送受信装置。
【請求項２】
第１の記憶領域をさらに有し、
時刻関連情報は、前記第１の記憶領域に記憶される
ことを特徴とする請求項１に記載のデジタル放送受信装置。
【請求項３】
第２の記憶領域をさらに有し、
前記基準現在時刻の算出履歴は、前記第２の記憶領域に記憶される
ことを特徴とする請求項１又は２に記載のデジタル放送受信装置。
【請求項４】
前記基準現在時刻算出部は、前記時刻関連情報取得部で取得された前記放送局時刻情報が示す複数の時刻の内の、同じ時刻を示す時刻の個数が、予め定められた個数よりも多い時刻を、前記基準現在時刻として算出することを特徴とする請求項１から３のいずれか１項に記載のデジタル放送受信装置。
【請求項５】
前記基準現在時刻算出部は、前記時刻関連情報取得部で取得された前記放送局時刻情報が示す複数の時刻の内の、同じ時刻を示す時刻の個数が最も多い時刻を、前記基準現在時刻として算出することを特徴とする請求項１から３のいずれか１項に記載のデジタル放送受信装置。
【請求項６】
前記基準現在時刻算出部は、前記時刻関連情報取得部で取得された前記放送局時刻情報が示す複数の時刻を時刻順に並べ替え、前記時刻順の内の中央に最も近い順番の時刻を、前記基準現在時刻として算出することを特徴とする請求項１から３のいずれか１項に記載のデジタル放送受信装置。
【請求項７】
前記基準現在時刻算出部は、前記第２の記憶領域に、前記基準現在時刻の算出履歴が存在する場合には、前記基準現在時刻の算出履歴の放送局特定情報によって特定される放送局から送信された放送局時刻情報が示す時刻を、前記基準現在時刻として算出することを特徴とする請求項３に記載のデジタル放送受信装置。
【請求項８】
前記基準現在時刻算出部は、前記第２の記憶領域に、前記基準現在時刻の算出履歴が存在する場合に、前記時刻関連情報取得部で取得された前記放送局時刻情報が示す複数の時刻の内の、同じ時刻を示す時刻の個数が、予め定められた個数よりも多い時刻を、前記基準現在時刻として算出することを特徴とする請求項７に記載のデジタル放送受信装置。
【請求項９】
前記基準現在時刻算出部は、前記第２の記憶領域に、前記基準現在時刻の算出履歴が存在する場合に、前記時刻関連情報取得部で取得された前記放送局時刻情報が示す複数の時刻の内の、同じ時刻を示す時刻の個数が最も多い時刻を、前記基準現在時刻として算出することを特徴とする請求項７に記載のデジタル放送受信装置。
【請求項１０】
前記基準現在時刻算出部は、前記第２の記憶領域に、前記基準現在時刻の算出履歴が存在する場合に、前記時刻関連情報取得部で取得された前記放送局時刻情報が示す複数の時刻を時刻順に並べ替え、前記時刻順の内の中央に最も近い順番の時刻を、前記基準現在時刻として算出することを特徴とする請求項７に記載のデジタル放送受信装置。
【請求項１１】
第１の記憶領域をさらに有し、
時刻関連情報は、前記第１の記憶領域に記憶され、
前記時刻関連情報取得部は、
前記計時部現在時刻と、前記情報抽出部が前記デジタル放送信号から抽出した前記放送局時刻情報が示す時刻との間の時刻差分を時間軸差分として、前記時刻関連情報に追加し、前記第１の記憶領域に記憶させ、
前記基準現在時刻算出部は、前記時刻関連情報取得部で取得された前記複数の放送局の各々についての前記時刻関連情報に基づいて、前記計時部現在時刻の更新直後の時刻である基準現在時刻を算出する
ことを特徴とする請求項１に記載のデジタル放送受信装置。
【請求項１２】
複数の放送局から送信される複数のデジタル放送信号を受信するデジタル放送受信装置におけるデジタル放送受信方法であって、
前記複数のデジタル放送信号の各々から、前記複数の放送局の各々が生成する時刻情報である放送局時刻情報を抽出する情報抽出ステップと、
前記デジタル放送受信装置の時間軸における時刻である計時部現在時刻を生成する計時ステップと、
前記複数の放送局の各々について、放送局特定情報と、前記放送局時刻情報と、前記放送局時刻情報が抽出された時点における前記計時部現在時刻である時刻情報取得時刻と、を含む時刻関連情報を取得する時刻関連情報取得ステップと、
前記時刻関連情報取得ステップで取得された前記複数の放送局の各々についての前記時刻関連情報に基づいて前記複数の放送局の各々の時間軸で前記複数の放送局の各々の放送局現在時刻を算出し、前記複数の放送局の放送局現在時刻を互いに比較し、前記比較の結果に基づいて前記計時部現在時刻の更新直後の時刻である基準現在時刻を算出する基準現在時刻算出ステップと、
を有し、
前記計時ステップにおいて、前記計時部現在時刻を前記基準現在時刻に更新する
ことを特徴とするデジタル放送受信方法。
【手続補正２】
【補正対象書類名】明細書
【補正対象項目名】０００８
【補正方法】変更
【補正の内容】
【０００８】
本発明に係るデジタル放送受信装置は、複数の放送局から送信される複数のデジタル放送信号を受信するデジタル放送受信装置であって、前記複数のデジタル放送信号の各々から、前記複数の放送局の各々が生成する時刻情報である放送局時刻情報を抽出する情報抽出部と、前記デジタル放送受信装置の時間軸における時刻である計時部現在時刻を生成する計時部と、前記複数の放送局の各々について、放送局特定情報と、前記放送局時刻情報と、前記放送局時刻情報が抽出された時点における前記計時部現在時刻である時刻情報取得時刻と、を含む時刻関連情報を取得する時刻関連情報取得部と、前記時刻関連情報取得部で取得された前記複数の放送局の各々についての前記時刻関連情報に基づいて前記複数の放送局の各々の時間軸で前記複数の放送局の各々の放送局現在時刻を算出し、前記複数の放送局の放送局現在時刻を互いに比較し、前記比較の結果に基づいて前記計時部現在時刻の更新直後の時刻である基準現在時刻を算出する基準現在時刻算出部と、を備え、前記計時部は、前記計時部現在時刻を前記基準現在時刻に更新することを特徴とする。
【手続補正３】
【補正対象書類名】明細書
【補正対象項目名】０００９
【補正方法】変更
【補正の内容】
【０００９】
本発明に係るデジタル放送受信方法は、複数の放送局から送信される複数のデジタル放送信号を受信するデジタル放送受信装置におけるデジタル放送受信方法であって、前記複数のデジタル放送信号の各々から、前記複数の放送局の各々が生成する時刻情報である放送局時刻情報を抽出する情報抽出ステップと、前記デジタル放送受信装置の時間軸における時刻である計時部現在時刻を生成する計時ステップと、前記複数の放送局の各々について、放送局特定情報と、前記放送局時刻情報と、前記放送局時刻情報が抽出された時点における前記計時部現在時刻である時刻情報取得時刻と、を含む時刻関連情報を取得する時刻関連情報取得ステップと、前記時刻関連情報取得ステップで取得された前記複数の放送局の各々についての前記時刻関連情報に基づいて前記複数の放送局の各々の時間軸で前記複数の放送局の各々の放送局現在時刻を算出し、前記複数の放送局の放送局現在時刻を互いに比較し、前記比較の結果に基づいて前記計時部現在時刻の更新直後の時刻である基準現在時刻を算出する基準現在時刻算出ステップと、を有し、前記計時ステップにおいて、前記計時部現在時刻を前記基準現在時刻に更新することを特徴とする。